(57)【要約】【課題】簡易な構成で便鉢部における所望する部分に適切な流量の洗浄水を供給し得る便器を提供する。【解決手段】便器１０は、便鉢部２０、および吐水口３０を備えている。吐水口３０は、便鉢部２０に洗浄水を吐水する。吐水口３０は、便鉢部２０に吐水する洗浄水の流量が異なる第１吐水部３１および第２吐水部３２を隣り合わせて形成されている。第２吐水部３２は、便鉢部２０に第１吐水部３１よりも多い流量の洗浄水を吐水する。【選択図】図１
2019173305.tif 000002
【特許請求の範囲】
【請求項１】
便鉢部と、
前記便鉢部に吐水する洗浄水の流量が異なる複数の吐水部を隣り合わせて形成した吐水口と、
を備えることを特徴とする便器。
【請求項２】
前記吐水口は、
前記便鉢部に洗浄水を吐水する第１吐水部と、
前記便鉢部に前記第１吐水部よりも多い流量の洗浄水を吐水する第２吐水部と、
を有することを特徴とする請求項１に記載の便器。
【請求項３】
前記第２吐水部は、水平方向の所定の長さ当たりの開口面積が、前記第１吐水部の水平方向の所定の長さ当たりの開口面積よりも大きいことを特徴とする請求項２に記載の便器。
【請求項４】
前記便鉢部は、下部において洗浄水が滞留する溜水部を備えており、
前記第１吐水部は、前記便鉢部の上縁部に沿って洗浄水を流し、
前記第２吐水部は、前記溜水部に向けて洗浄水を流すことを特徴とする請求項２又は請求項３に記載の便器。
【請求項５】
前記第１吐水部は、前記吐水口において、前記便鉢部の先端から見て左右方向の中心を通る中心線に対して、前記第２吐水部よりも遠くに位置することを特徴とする請求項４に記載の便器。
【請求項６】
前記便鉢部は、陶器製であり、
前記吐水口は、前記便鉢部の上縁部に形成されていることを特徴とする請求項１乃至請求項５のいずれか１項に記載の便器。
【請求項７】
前記便鉢部に洗浄水を導出する導出路を備え、
前記便鉢部は、内側につながる開口部が形成され、
前記導出路は、前記開口部を介して前記便鉢部に洗浄水を吐水する導出口を有し、
前記吐水口は、前記導出口であることを特徴とする請求項１乃至請求項５のいずれか１項に記載の便器。
【発明の詳細な説明】
【技術分野】
【０００１】
本発明は便器に関するものである。
【背景技術】
【０００２】
特許文献１に開示される便器本体は、便鉢部と、便鉢部の下部に流入口を有して下流側に連通した便器排水路と、分配給水管によって供給される洗浄水を便鉢部内に吐水させる第１吐水口及び第２吐水口と、を備えている。第１吐水口から吐水された洗浄水は、リム通水路に沿って流れ、便鉢部内を旋回する旋回流を形成する。第２吐水口から吐水された洗浄水は、第１吐水口から吐水された洗浄水と合流して案内面に沿って流れる流れと、洗浄棚上を流れる流れとに分流して流れる。これにより、便器本体は、汚物を便器排水路に押し込ませて良好に排出する。
【先行技術文献】
【特許文献】
【０００３】
【特許文献１】特許第５９５９０５５号公報
【発明の概要】
【発明が解決しようとする課題】
【０００４】
特許文献１の便器本体は、上記のような流れを作るために、洗浄水を吐水させる第１吐水口及び第２吐水口が、便鉢部内において適当な位置に離間して形成されている。具体的には、第１吐水口は、便鉢部の左側の上部周縁に形成された通路形状の第１給水室の先端に形成されている。第２吐水口は、便鉢部の右側の上部周縁に形成された通路形状の第２給水室の先端に形成されている。しかしながら、特許文献１の便器本体は、このような第１吐水口及び第２吐水口を便鉢部に形成する場合、便鉢部内の構成が複雑化し、便器本体の形状に制約が生じてしまう。
【０００５】
本発明は、上記従来の実情に鑑みてなされたものであって、簡易な構成で便鉢部における所望する部分に適切な流量の洗浄水を供給し得る便器を提供することを解決すべき課題としている。
【課題を解決するための手段】
【０００６】
本発明の便器は、
便鉢部と、
前記便鉢部に吐水する洗浄水の流量が異なる複数の吐水部を隣り合わせて形成した吐水口と、
を備えることを特徴とする。
【０００７】
この便器は、便鉢部に吐水する洗浄水の流量が異なる複数の吐水部を有する吐水口を備えている。そのため、便器は、便鉢部における所望する部分に適切な流量の洗浄水を供給することができる。特に、便器は、複数の吐水部が隣り合って形成されているため、簡易な構成で洗浄水の吐水を行うことができる。
【図面の簡単な説明】
【０００８】
【図１】実施例１の便器を示す斜視図である。
【図２】図１の便器の縦断面図である。
【図３】実施例２に係る便器の縦断面図である。
【図４】実施例３に係る便器の縦断面図である。
【図５】図４の便器における洗浄水の流れを示す平面図である。
【図６】実施例４に係る便器の縦断面図である。
【発明を実施するための形態】
【０００９】
本発明における好ましい実施の形態を説明する。
【００１０】
本発明の便器の前記吐水口は、
前記便鉢部に洗浄水を吐水する第１吐水部と、
前記便鉢部に前記第１吐水部よりも多い流量の洗浄水を吐水する第２吐水部と、
を有し得る。
この場合、この便器は、便鉢部において洗浄水を比較的少なめに供給したい部分には、第１吐水部によって洗浄水を供給し、洗浄水を比較的多めに供給したい部分には、第２吐水部によって洗浄水を供給することができる。例えば、便器は、第１吐水部によって便鉢部の上縁部に沿って洗浄水を流すことで、旋回流を発生させて便鉢部の表面を良好に洗浄することができる。一方で、便器は、第２吐水部によって便鉢部に第１吐水部よりも多い流量の洗浄水を吐水し、汚物の排出方向に向かって洗浄水を流すことで、強い勢いのある洗浄水の流れで汚物を良好に排出することができる。
【００１１】
本発明の便器の前記第２吐水部は、水平方向の所定の長さ当たりの開口面積が、前記第１吐水部の水平方向の所定の長さ当たりの開口面積よりも大きくし得る。
この場合、この便器は、各吐水部の開口部分における開口面積の大きさによって便鉢部に供給される洗浄水の流量が変化する。そのため、便器は、第１吐水部及び第２吐水部の開口形状を変えることで、各開口部分の開口面積を変え、各吐水部から便鉢部に供給される洗浄水の流量を規定することができる。
【００１２】
本発明の便器の前記便鉢部は、下部において洗浄水が滞留する溜水部を備えており、
前記第１吐水部は、前記便鉢部の上縁部に沿って洗浄水を流し、
前記第２吐水部は、前記溜水部に向けて洗浄水を流し得る。
この場合、この便器は、第２吐水部によって便鉢部の上縁部に沿って洗浄水を流すため、洗浄水が便鉢部の表面を旋回しつつ流下する。そのため、便器は、少ない流量の洗浄水で、便鉢部の表面を良好に洗浄することができる。一方で、便器は、第１吐水部によって溜水部に向けて洗浄水を流すため、溜水部に向かって下方に流れる洗浄水の勢いを強くすることができる。そのため、便器は、溜水部を介して汚物を便鉢部から良好に排出することができる。
【００１３】
本発明の便器の前記第１吐水部は、前記吐水口において、前記便鉢部の先端から見て左右方向の中心を通る中心線に対して、前記第２吐水部よりも遠くに位置し得る。
この場合、この便器は、第１吐水部が、吐水口において、便鉢部の先端から見て左右方向の中心を通る中心線に対して、第２吐水部よりも遠くに位置するため、第２吐水部よりも溜水部から離れ、洗浄水が便鉢部の表面を旋回し易くなる。一方で、便器は、第２吐水部が、吐水口において、中心線に対して、第１吐水部よりも近くに位置するため、第１吐水部よりも溜水部に近く、溜水部に向かって下方に流れる洗浄水の勢いを強くし易くなる。
【００１４】
本発明の便器の前記便鉢部は、陶器製であり、
前記吐水口は、前記便鉢部の上縁部に形成され得る。
この場合、この便器は、便鉢部に開口面積が異なる吐水口を形成して、所望の流量の洗浄水を便鉢部に吐水することができる。
【００１５】
本発明の便器は、
前記便鉢部に洗浄水を導出する導出路を備え、
前記便鉢部は、内側につながる開口部が形成され、
前記導出路は、前記開口部を介して前記便鉢部に洗浄水を吐水する導出口を有し、
前記吐水口は、前記導出口であり得る。
この場合、この便器は、導出路の導出口の形状によって便鉢部の部位ごとに吐水される洗浄水の流量が規定される。そのため、便鉢部に形成される開口部の形状に関わらず、導出路の導出口によって所望の流量の洗浄水を便鉢部に吐水することができる。
【００１６】
次に、本発明の便器を具体化した実施例について、図面を参照しつつ説明する。
【００１７】
＜実施例１＞
実施例１の便器１０は、水洗式便器として構成されている。便器１０は、図１に示すように、便鉢部２０、リム部１２、周壁部１３、上壁部１４、タンク載置部１５、排水管１６、および導出路４０を備えている。便鉢部２０、リム部１２、周壁部１３、上壁部１４、タンク載置部１５、および排水管１６は、陶器製であり、一体的に形成されている。
【００１８】
本明細書では、上壁部１４の壁面と直交する方向が上下方向であり、便鉢部２０の開口側が上方側であり、それとは反対側が下方側である。便鉢部２０の先端側が前方側であり、それとは反対側が後方側である。上下方向及び前後方向に直交する方向が左右方向であり、便鉢部２０を前方側から見たときの左手側が左側であり、右手側が右側である。
【００１９】
便鉢部２０は、上端部が略楕円形状に開口した椀形状である。便鉢部２０は、第１立壁部（請求項の「上縁部」に相当）２１、傾斜壁部２２、および第２立壁部２３を備えている。第１立壁部２１は、後述するリム部１２の内周縁部から略垂直に垂下する。傾斜壁部２２は、第１立壁部２１の下端から溜水部２４に向かって斜め下方に傾斜する。傾斜壁部２２は、後述するように、洗浄水が吐水する吐水口３０が形成されている。第２立壁部２３は、傾斜壁部２２の下端から略垂直に垂下する。排水管１６は、第２立壁部２３に連通している。
【００２０】
排水管１６は、第１下降流路１６Ａ、上昇流路（図示略）、および第２下昇流路（図示略）を備えている。第１下降流路１６Ａは、第２立壁部２３の下流端に連続して、後方かつ下方に延びている。上昇流路は、第１下降流路１６Ａの下流端に連続して、後方かつ上方に延びている。第２下降流路は、上昇流路の下流端に連続して、後方かつ下方に延びている。
【００２１】
便鉢部２０は、第２立壁部２３の下端部、および第１下降流路１６Ａの上端部によって、溜水部２４を構成している。溜水部２４は、傾斜壁部２２および第２立壁部２３に沿って流下する洗浄水が滞留する。
【００２２】
リム部１２は、便鉢部２０の上端外周部に連続して設けられている。リム部１２は、後端部が上壁部１４に連なっている。上壁部１４は、略水平をなすように形成された壁である。上壁部１４の後方には、洗浄タンク（図示略）が載置されるタンク載置部１５が設けられている。リム部１２の上面には、便座（図示略）が載置される。
【００２３】
周壁部１３は、便鉢部２０を前面側から左右両側面側にわたって覆っている。周壁部１３は、便鉢部２０の下方に配された排水管１６等を内部に収容している。周壁部１３は、リム部１２の外周縁部から垂下している。
【００２４】
導出路４０は、洗浄タンクから排出された洗浄水を便鉢部２０に導出する。導出路４０は、図１に示すように、便鉢部２０の後方側に配置されている。導出路４０は、流入部４１、および導出管４２を備えている。流入部４１は、タンク載置部１５に載置されて固定される洗浄タンク（図示略）の排水口が挿入される。導出管４２は、流入部４１に連通して、流入部４１から流れ込む洗浄水を便鉢部２０へ導出する。導出管４２は、先端に便鉢部２０に洗浄水を吐水する導出口４３を備えている。
【００２５】
次に、便鉢部２０に形成された吐水口３０について説明する。便鉢部２０は、図１、図２に示すように、吐水口３０が形成されている。吐水口３０は、第１立壁部２１を壁厚方向に貫通する貫通孔である。吐水口３０は、略逆Ｌ字状に形成されている。吐水口３０は、便鉢部２０の後端側において、便鉢部２０の幅方向（左右方向）における中心よりも左側に寄った位置に形成されている。吐水口３０は、後方に導出管４２が配置されており、導出口４３に対向している。吐水口３０は、導出路４０によって導出された洗浄水を便鉢部２０の内側に吐水する。
【００２６】
吐水口３０は、図１、図２に示すように、第１吐水部３１、および第２吐水部３２を備えている。吐水口３０は、第１吐水部３１及び第２吐水部３２によって便鉢部２０の内側に洗浄水を吐水する。吐水口３０は、第１吐水部３１及び第２吐水部３２が連続するように隣り合って形成されている。第１吐水部３１は、図２に示すように、第１立壁部２１における略台形状（角が丸みを帯びた台形状）の領域Ａ１を切り欠いて形成されている。第２吐水部３２は、第１立壁部２１における領域Ａ１に隣接する略長方形状（角が丸みを帯びた長方形状）の領域Ａ２を切り欠いて形成されている。第２吐水部３２は、開口部分が第１吐水部３１よりも上方に延びており、その分、開口面積が第１吐水部３１よりも大きくなっている。
【００２７】
第１吐水部３１は、図２に示すように、水平方向の所定の長さ（Ｌ１）当たりの開口面積がＳ１である。第２吐水部３２は、水平方向の所定の長さ（Ｌ１）当たりの開口面積がＳ２である。第２吐水部３２の開口面積Ｓ２は、第１吐水部３１の開口面積Ｓ１よりも大きい。第１吐水部３１および第２吐水部３２は、導出路４０によって一定流量（例えば、導出管４２が満水となるような流量）の洗浄水を導出することで、開口面積に応じた流量の洗浄水を便鉢部２０に吐水する。第２吐水部３２は、開口面積Ｓ２が第１吐水部３１の開口面積Ｓ１よりも大きいため、第１吐水部３１よりも多い流量の洗浄水を便鉢部２０に吐水する。
【００２８】
第１吐水部３１は、図１、図２に示すように、吐水口３０において、便鉢部２０の先端から見て左右方向の中心を通る中心線Ｃから遠い側に位置している。第１吐水部３１は、便鉢部２０の後端側において、便鉢部２０の左端部（第１立壁部２１の左側部分）に近い位置に形成されている。第１吐水部３１は、傾斜壁部２２の上端部付近に形成されている。第１吐水部３１は、便鉢部２０の左端部（第１立壁部２１の左側部分）に沿う方向に向かって開口している。第１吐水部３１は、第１立壁部２１の左側部分に沿って、傾斜壁部２２上に洗浄水を流す。
【００２９】
第２吐水部３２は、図１、図２に示すように、吐水口３０において、中心線Ｃに近い側に位置している。第２吐水部３２は、便鉢部２０の後端側において、左右方向で第１吐水部３１よりも溜水部２４に近い側に位置している。第２吐水部３２は、溜水部２４に向かって開口している。第２吐水部３２は、溜水部２４に向けて第２立壁部２３上に洗浄水を流す。
【００３０】
以上のような構成の便器１０は、洗浄タンク（図示略）に貯留された洗浄水を排水口から排水して便器洗浄を実行すると、導出路４０を介して、吐水口３０から洗浄水が吐水される。吐水口３０から吐水された洗浄水は、主に第１吐水部３１から吐水された洗浄水の流れ（図１に示す流れＦ１）、および主に第２吐水部３２から吐水された洗浄水の流れ（図１に示す流れＦ２）を作り出す。流れＦ１は、主に第１吐水部３１から吐水された洗浄水が傾斜壁部２２上を第１立壁部２１に沿って流れることによって形成される。流れＦ１は、便鉢部２０の内側の表面（傾斜壁部２２の表面）を旋回しつつ流下する。流れＦ１は、第１吐水部３１から吐水された少ない流量の洗浄水で形成されても、便鉢部２０の内側の表面全体に洗浄水を確実に流すことができる。便器１０は、流れＦ１によって洗浄水が便鉢部２０の内側の表面を旋回しながら流れるため、洗浄水を便鉢部２０の表面に沿って長く流すことができる。このため、便器１０は、便鉢部２０の内側の表面を良好に洗浄することができる。
【００３１】
流れＦ２は、主に第２吐水部３２から吐水された洗浄水が、傾斜壁部２２および第２立壁部２３上を溜水部２４に向かって流れることによって形成される。流れＦ２は、便鉢部２０の内側の表面（傾斜壁部２２および第２立壁部２３の表面）を溜水部２４に向かって流下する。また、第２吐水部３２は、第１吐水部３１よりも多い流量の洗浄水を吐水する。そのため、流れＦ２は、溜水部２４に向かって下方に流れる洗浄水の勢いが強くなる。この勢いの強い流れＦ２は、溜水部２４を経由して排水管１６へ向かうため、汚物を便鉢部２０から良好に排出することができる。
【００３２】
以上のように、吐水口３０は、第２吐水部３２を第１吐水部３１よりも上方に大きくすることで、開口形状の一部が上方に大きくなるように形成されている。これにより、便器１０は、洗浄水の所望の流れ（流れＦ１、および流れＦ２）を効率的に作り出している。このように、便器１０は、洗浄水の所望の流れを作り出すために、従来のように便鉢部２０の形状を工夫したり、吐水口を複数形成したりする必要がなく、便鉢部２０の形状などの制約を小さくすることができる。したがって、便器１０は、便鉢部２０の見栄えを良好にすることができ、製造コストを低減することができる。
【００３３】
以下、本構成の効果を例示する。
実施例１の便器１０は、便鉢部２０に吐水する洗浄水の流量が異なる複数の吐水部（第１吐水部３１、および第２吐水部３２）を有する吐水口３０を備えている。そのため、便器１０は、便鉢部２０における所望する部分に適切な流量の洗浄水を供給することができる。特に、便器１０は、第１吐水部３１および第２吐水部３２が隣り合って形成されているため、便鉢部２０に吐水口３０を１つだけ形成するという簡易な構成で洗浄水の吐水を行うことができる。
【００３４】
便器１０の吐水口３０は、便鉢部２０に洗浄水を吐水する第１吐水部３１と、便鉢部２０に第１吐水部３１よりも多い流量の洗浄水を吐水する第２吐水部３２と、を有する。このため、便器１０は、便鉢部２０において洗浄水を比較的少なめに供給したい部分には、第１吐水部３１によって洗浄水を供給し、洗浄水を比較的多めに供給したい部分には、第２吐水部３２によって洗浄水を供給することができる。例えば、便器１０は、第１吐水部３１によって便鉢部２０の第１立壁部２１に沿って洗浄水を流すことで、旋回流を発生させて便鉢部２０の表面を良好に洗浄することができる。一方で、便器１０は、第２吐水部３２によって便鉢部２０に第１吐水部３１よりも多い流量の洗浄水を吐水し、汚物の排出方向に向かって洗浄水を流すことで、強い勢いのある洗浄水の流れで汚物を良好に排出することができる。
【００３５】
便器１０の第２吐水部３２は、水平方向の所定の長さ当たりの開口面積が、第１吐水部３１の水平方向の所定の長さ当たりの開口面積よりも大きい。このため、便器１０は、各吐水部の開口部分における開口面積の大きさによって便鉢部２０に供給される洗浄水の流量が変化する。そのため、便器１０は、第１吐水部３１および第２吐水部３２の開口形状を変えることで、各開口部分の開口面積を変え、各吐水部から便鉢部２０に供給される洗浄水の流量を規定することができる。
【００３６】
便器１０の便鉢部２０は、下部において洗浄水が滞留する溜水部２４を備えている。第１吐水部３１は、便鉢部２０の第１立壁部２１に沿って洗浄水を流す。第２吐水部３２は、溜水部２４に向けて洗浄水を流す。このため、便器１０は、第２吐水部３２によって便鉢部２０の第１立壁部２１に沿って洗浄水を流すため、洗浄水が便鉢部２０の表面を旋回しつつ流下する。そのため、便器１０は、少ない流量の洗浄水で、便鉢部２０の表面を良好に洗浄することができる。一方で、便器１０は、第１吐水部３１によって溜水部２４に向けて洗浄水を流すため、溜水部２４に向かって下方に流れる洗浄水の勢いを強くすることができる。そのため、便器１０は、溜水部２４を介して汚物を便鉢部２０から良好に排出することができる。
【００３７】
便器１０の第１吐水部３１は、吐水口３０において、便鉢部２０の先端から見て左右方向の中心を通る中心線Ｃに対して、第２吐水部３２よりも遠くに位置する。このため、便器１０は、第１吐水部３１が、吐水口３０において、便鉢部２０の先端から見て左右方向の中心を通る中心線Ｃに対して、第２吐水部３２よりも遠くに位置するため、第２吐水部３２よりも溜水部２４から離れ、洗浄水が便鉢部２０の表面を旋回し易くなる。一方で、便器１０は、第２吐水部３２が、吐水口３０において、中心線Ｃに対して、第１吐水部３１よりも近くに位置するため、第１吐水部３１よりも溜水部２４に近く、溜水部２４に向かって下方に流れる洗浄水の勢いを強くし易くなる。
【００３８】
便器１０の便鉢部２０は、陶器製である。吐水口３０は、便鉢部２０の第１立壁部２１に形成される。このため、便器１０は、便鉢部２０に開口面積が異なる吐水口３０を形成して、所望の流量の洗浄水を便鉢部２０に吐水することができる。
【００３９】
＜実施例２＞
次に、実施例２について説明する。
実施例２の便器１０は、吐水口３０の代わりに導出口６０によって洗浄水の所望の流れを作り出す点が実施例１と異なる。その他の構成は実施例１と同一であり、同一の構成は同一の符号を付し、詳細な説明を省略する。
【００４０】
実施例２の吐水口（請求項の「開口部」に相当）５０は、図３に示すように、略長方形状に形成されている。吐水口５０は、便鉢部２０の後端側において、便鉢部２０の幅方向（左右方向）における中心よりも左側に寄った位置に形成されている。吐水口５０は、後方に導出管４２が配置されており、導出口６０に対向している。
【００４１】
導出口（請求項の「吐水口」に相当）６０は、図３に示すように、略逆Ｌ字状である。導出口６０は、第１導出部６１、および第２導出部６２を備えている。導出口６０は、第１導出部６１および第２導出部６２によって、吐水口５０を介して便鉢部２０に洗浄水を導出する。導出口６０は、第１導出部６１および第２導出部６２が連続するように隣り合って形成されている。第１導出部６１は、前後方向から見て略台形状（角が丸みを帯びた台形状）の領域Ａ３の一部（右端部分を除く部分）を覆うように形成されている。第２導出部６２は、前後方向から見て領域Ａ３に隣接する略長方形状（角が丸みを帯びた長方形状）の領域Ａ４の一部（左端部分の下側部分を除く部分）を覆うように形成されている。第２導出部６２は、開口部分が第１導出部６１よりも上方に延びており、その分、開口面積が第１導出部６１よりも大きくなっている。
【００４２】
第１導出部６１および第２導出部６２は、水平方向の所定の長さ（Ｌ２）当たりの開口面積が、それぞれＳ３，Ｓ４である。第１導出部６１および第２導出部６２は、導出路４０によって一定流量（例えば、導出管４２が満水となるような流量）の洗浄水を吐水口５０を介して導出することで、開口面積に応じた流量の洗浄水を便鉢部２０に吐水する。第２導出部６２は、開口面積Ｓ４が第１導出部６１の開口面積Ｓ３よりも大きいため、第１導出部６１よりも多い流量の洗浄水を吐水口５０を介して便鉢部２０に吐水する。
【００４３】
第１導出部６１は、図３に示すように、導出口６０において、便鉢部２０の先端から見て左右方向の中心を通る中心線Ｃから遠い側に位置している。第１導出部６１は、便鉢部２０の後端側において、便鉢部２０の左端部（第１立壁部２１の左側部分）に近い位置に位置している。第１導出部６１は、便鉢部２０の左端部（第１立壁部２１の左側部分）に沿う方向に向かって開口し、吐水口５０を介して第１立壁部２１の左側部分に沿って傾斜壁部２２上に洗浄水を流す。
【００４４】
第２導出部６２は、図３に示すように、導出口６０において、中心線Ｃに近い側に位置している。第２導出部６２は、便鉢部２０の後端側において、左右方向で第１導出部６１よりも溜水部２４に近い側に位置している。第２導出部６２は、溜水部２４に向かって開口しているため、吐水口５０を介して溜水部２４に向けて傾斜壁部２２上に洗浄水を流す。
【００４５】
以上のような構成の便器１０は、洗浄タンク（図示略）に貯留された洗浄水を排水口から排水して便器洗浄を実行して、導出路４０から吐水口５０を介して実施例１の洗浄水の所望の流れ（流れＦ１、及び流れＦ２）と同様の流れを作り出すことができる。そのため、便器１０は、便鉢部２０の内側の表面を良好に洗浄するとともに、汚物を便鉢部２０から良好に排出することができる。特に、便器１０は、導出路４０の導出口６０を上記複数の導出部（第１導出部６１、および第２導出部６２）によって構成することで、実施例１と同様に、便鉢部２０の見栄えを良好にすることができ、製造コストを低減することができる。
【００４６】
実施例２の便器１０は、便鉢部２０は、内側につながる吐水口５０が形成されている。導出路４０は、吐水口５０を介して便鉢部２０に洗浄水を吐水する導出口６０を有している。このため、便器１０は、導出路４０の導出口６０の形状によって便鉢部２０の部位ごとに洗浄水の流量が規定される。そのため、便器１０は、便鉢部２０に形成される吐水口５０の形状に関わらず、導出路４０の導出口６０によって所望の流量の洗浄水を便鉢部に吐水することができる。
【００４７】
＜実施例３＞
次に、実施例３について説明する。
実施例３の便器１０は、吐水口の形状、および導出路４０の構成が実施例１と異なる。その他の構成は実施例１と同一であり、同一の構成は同一の符号を付し、詳細な説明を省略する。
【００４８】
実施例３の吐水口７０は、図４に示すように、便鉢部２０の後端側において、左右方向に延びるとともに、左端部が上方に延びる形状である。
【００４９】
導出路４０は、吐水口７０に対して一定流量（例えば、吐水口７０の開口領域全体が洗浄水で満たされるような流量）の洗浄水を導出する。導出路４０は、上記一定流量の洗浄水を導出する構成であれば、導出口が吐水口７０と同程度の大きさの構成や、導出管４２とともに左右両側に洗浄水を分配する右側の導出管を備える構成であってもよい。
【００５０】
吐水口７０は、図４に示すように、第１吐水部７１、および第２吐水部７２を備えている。吐水口３０は、第１吐水部７１及び第２吐水部７２が連続するように隣り合って形成されている。第１吐水部７１は、第１立壁部２１における略長方形状（水平方向に延びた長方形状）の領域Ａ５を切り欠いて形成されている。第２吐水部７２は、第１立壁部２１における領域Ａ５に隣接する略長方形状（上下方向に延びた長方形状）の領域Ａ６を切り欠いて形成されている。
【００５１】
第１吐水部７１および第２吐水部７２は、それぞれ開口部分の開口面積がＳ５，Ｓ６である。開口面積は、Ｓ６よりもＳ５の方が大きい。第２吐水部７２は、水平方向の所定の長さ（Ｌ３）当たりの開口面積が、第１吐水部７１の水平方向の所定の長さ（Ｌ３）当たりの開口面積よりも大きい。第１吐水部７１および第２吐水部７２は、導出路４０によって一定流量（例えば、吐水口７０の開口領域全体が洗浄水で満たされるような流量）の洗浄水を導出することで、開口面積に応じた流量の洗浄水を便鉢部２０に吐水する。第２吐水部７２は、水平方向の所定の長さ（Ｌ３）当たりの洗浄水の流量が、第１吐水部７１よりも多い。
【００５２】
以上のような構成の便器１０は、洗浄タンク（図示略）に貯留された洗浄水を排水口から排水して便器洗浄を実行すると、吐水口７０から吐水された洗浄水は、主に第１吐水部７１から吐水された洗浄水の流れ（図５に示す流れＦ３）、および主に第２吐水部７２から吐水された洗浄水の流れ（図５に示す流れＦ４）を作り出す。流れＦ３は、便鉢部２０の内側の表面（傾斜壁部２２の表面）を旋回しつつ流下する。流れＦ４は、便鉢部２０の内側の表面（傾斜壁部２２の表面）を旋回しつつ溜水部２４に向かう勢いが強い流れである。このように、実施例３の便器１０は、汚物を良好に排出可能な洗浄水の流れを作り出すことができる。
【００５３】
＜実施例４＞
次に、実施例４ついて説明する。
実施例４の便器１０は、吐水口の形状が実施例３と異なる。その他の構成は実施例３と同一であり、同一の構成は同一の符号を付し、詳細な説明を省略する。
【００５４】
実施例４の吐水口８０は、図６に示すように、左右方向に延びるとともに、左端部から右側寄りの部分が上方に延びる形状である。吐水口８０は、第１吐水部８１、第２吐水部８２、および第３吐水部８３を備えている。吐水口３０は、第１吐水部８１、第２吐水部８２、および第３吐水部８３が連続するように隣り合って形成されている。
【００５５】
第１吐水部８１、第２吐水部８２、および第３吐水部８３は、それぞれ開口部分の開口面積がＳ７、Ｓ８、Ｓ９である。開口面積は、Ｓ８、Ｓ９、Ｓ７の順に大きくなっていく。第２吐水部８２は、水平方向の所定の長さ当たりの開口面積が、第１吐水部８１および第３吐水部８３の開口面積よりも大きい。第１吐水部８１および第３吐水部８３は、水平方向の所定の長さ当たりの開口面積の大きさが同程度である。
【００５６】
実施例４の便器１０は、実施例３の便器１０と同様の洗浄水の所望の流れ（図５に示す流れＦ３，Ｆ４と同様の流れ）を作り出すことができる。
【００５７】
本発明は上記記述及び図面によって説明した実施例に限定されるものではなく、例えば次のような実施例も本発明の技術的範囲に含まれる。
（１）実施例１では、便器１０は、便鉢部２０に吐水口３０が形成されていたが、吐水口３０の他にも吐水口が形成されていてもよい。例えば、便器１０は、吐水口３０の他に、便鉢部２０の内側の表面上を旋回する洗浄水の流れを作る吐水口や、溜水部２４に向かう洗浄水の流れを作る吐水口などが形成されていてもよい。実施例２でも同様に、便器１０は、導出口６０の他に、洗浄水の所望の流れを作る導出口が便鉢部２０に洗浄水を吐水するように配置されていてもよい。
（２）実施例１〜４では、便器１０は、各吐水部が連続するように隣り合っていたが、各吐水部が薄い壁部によって隔てられるように隣り合っていてもよい。
（３）実施例１〜４では、便器１０は、２つまたは３つの吐水部が連続するように隣り合っていたが、２つまたは３つ以外の吐水部が連続するように隣り合っていてもよい。
（４）実施例１では、吐水口３０は、便鉢部２０の後端側において、便鉢部２０の幅方向（左右方向）における中心よりも左側に寄った位置に形成されていたが、その他の位置に形成されていてもよい。実施例２でも、便器１０は、吐水口５０および導出口６０は、その他の位置に形成されていてもよい。
（５）実施例１，２では、便器１０は、吐水口３０及び導出管４２が便器１０の左端部側に設けられたが、中心線Ｃに対して対称となる構成で、便器１０の右端部側に設けられてもよい。
（６）実施例１〜４では、便器１０は、洗浄タンクが組み付けられていたが、洗浄タンクが組み付けられず、給水源から開閉弁を介して洗浄水を直接、給水してもよい。
【符号の説明】
【００５８】
１０…便器
２０…便鉢部
２１…第１立壁部（上縁部）
２３…溜水部
３０…吐水口
３１…第１吐水部（吐水部）
３２…第２吐水部（吐水部）
４０…導出路
４３…導出口
５０…開口部
６０…導出口（吐水口）
Ｃ…中心線
【図１】
2019173305.tif 000003
【図２】
2019173305.tif 000004
【図３】
2019173305.tif 000005
【図４】
2019173305.tif 000006
【図５】
2019173305.tif 000007
【図６】
2019173305.tif 000008